(57)【要約】【課題】再使用可能な塩ビ推進管用の保護キャップの提供、およびこの保護キャップを使用した塩ビ推進管の梱包形態の提供。【解決手段】本発明の塩ビ推進管用の保護キャップ１は、外周壁２および内周壁３からなる二重壁円筒状のキャップであって、外周壁２と内周壁３との間の空隙部４を、塩ビ推進管５の端部に差し込み、塩ビ推進管の端部に形成された連結部６を管の内外から保護する。また、本発明の塩ビ推進管５の梱包形態は、塩ビ推進管５の端部に形成された連結部６を上記保護キャップで１覆う。【選択図】　図２
2004075110.tif 000002
【特許請求の範囲】
【請求項１】
外周壁および内周壁からなる二重壁円筒状のキャップであって、外周壁と内周壁との間の空隙部を、塩ビ推進管の端部に差し込み、塩ビ推進管の端部に形成された連結部を管の内外から保護することを特徴とする塩ビ推進管用の保護キャップ。
【請求項２】
塩ビ推進管の端部に形成された連結部を請求項１記載の保護キャップで覆うことを特徴とする塩ビ推進管の梱包形態。
【発明の詳細な説明】
【０００１】
【発明の属する技術分野】
本発明は、下水管工事に使用される塩ビ推進管に用いられる保護キャップおよび塩ビ推進管の梱包形態に関するものである。
【０００２】
【従来の技術】
従来、上記塩ビ推進管を使用した下水道配管工事は、配管予定路の所々に設けられた工事用縦穴から次の工事用縦穴に向けて、図３に示すように、複数の塩ビ推進管２５の端部に形成された連結部２６同士を、それぞれステンレス連結管２１で次々と接続して一本化し、土中を推進させて下水道を形成している。また、塩ビ推進管には、図４に示すように、塩ビ推進管３０の端部を雄ねじ側２８と雌ねじ側２９のごとく切削加工し、ねじの嵌め合いにより接続するねじ式タイプのものもある。
【０００３】
塩ビ推進管は、上記したように、ステンレス連結管方式の場合、ステンレス連結管２１で接続一本化しながら土中を推進させるため、ステンレス連結管２１が塩ビ推進管の外周面より突出すると土中の推進を妨げる。
そのため、塩ビ推進管２５とステンレス連結管２１の外周面が一致するように、塩ビ推進管２５の連結部２６は、ステンレス連結管２１の厚さ分薄く、かつ、この連結部２６には水密性を得るためにゴム輪２７を嵌め込む凹状の溝２０が形成されているため、更に管の厚さは薄くなっている。
また、ねじ式連結管３１の場合、雄ねじ側２８および雌ねじ側２９は原管厚さの中で形成されているため、それぞれねじ凹部の厚さは原管厚さの半分以下である。
【０００４】
【発明が解決しようとする課題】
このように、塩ビ推進管２５、３０の端部にある連結部２６、３１は、他の部分よりも肉厚が薄いため、その部分の強度が低く、移送中に塩ビ推進管同士の接触・衝突や、車両等への荷揚げや荷降ろし作業中に、車両等にぶつけて破損し、塩ビ推進管としての使用が不能になることがある。
そこで、塩ビ推進管の連結部２６、３１を保護するため、従来、出荷時に、段ボール紙で塩ビ推進管の連結部２６、３１およびその周辺を覆い紐等で結束した後、それらの部分をさらにクロスラミネート包装紙で覆い、その上から紐等で結束するという大掛かりな包装がなされていた。
【０００５】
しかし、このような大掛かりな包装は、包装を解いた後再び利用されることなく、包装紙や段ボール紙等が廃棄物として多量に残ることになる。
また、不定形である包装紙や段ボール紙等は、そのままでは大きく場所を塞ぎ、折畳むには人手を要する上に、これらの廃棄物の回収には費用がかかるため、工事現場で放置されたり燃やされたりすることが多く、放置、燃焼された廃棄物は環境汚染を引き起こすなどの弊害を生じる。
したがって、本発明の課題は、上記従来の包装紙の廃棄という無駄と放置による環境汚染を無くし、梱包に使用していた包装紙や段ボール紙に替えて、再使用可能な塩ビ推進管用の保護キャップを提供すること、およびこの保護キャップを使用した塩ビ推進管の梱包形態を提供することにある。
【０００６】
【課題を解決するための手段】
上記課題を解決するために、本発明の塩ビ推進管用の保護キャップは、外周壁および内周壁からなる二重壁円筒状のキャップであって、外周壁と内周壁との間の空隙部を、塩ビ推進管の端部に差し込み、塩ビ推進管の端部に形成された連結部を管の内外から保護する構成としている。
また、本発明の塩ビ推進管の梱包形態は、塩ビ推進管の端部に形成された連結部を請求項１の保護キャップで覆う。
【０００７】
【発明の実施の形態】
以下、本発明の一実施の形態を添付図面により詳述する。
図１は、本発明の塩ビ推進管用の保護キャップの一例を示す概略断面図であり、図２は、図１の塩ビ推進管用の保護キャップを塩ビ推進管に取り付けた状態の部分概略断面図である。
【０００８】
図１に示すように、本発明の塩ビ推進管用の保護キャップ１は、外周壁２および内周壁３からなる二重壁円筒状であり、外周壁２と内周壁３との間には空隙部４が形成されている。
本発明の保護キャップ１は、図２に示すように、この空隙部４を塩ビ推進管５の端部に差し込むことにより、塩ビ推進管５の端部に形成された連結部６を、管の内外から、即ち外周壁２と内周壁３の間で挟持状に保護できるようになっている。
【０００９】
外周壁２と内周壁３との間の空隙部４は、塩ビ推進管５側に開口部７を有し、その反対側端部で、外周壁２と内周壁３が基部８を介して接続一体化されている。
また、空隙部４は、図１、図２に示すように、内周壁３が、外周壁２を基準線として基部８から１５度〜２５度内側に拡開した構成にして、塩ビ推進管５側に拡開した開口部７を形成するようにするとよい。
このような構成にすることにより、本発明の保護キャップ１を塩ビ推進管５の端部に被せる際に、塩ビ推進管５の端部が、開口部７から内周壁３に沿って摺動状に基部８まで円滑に誘導することができる。
【００１０】
なお、図２では、外周壁２の長さ（高さ）が、塩ビ推進管５の端部に形成された連結部６とほぼ同等であり、外周壁２の内径が連結部６の端部外径にほぼ見合うものとして示されているが、これに限定されるものではなく、連結部６より長くし、かつ外周壁２の内径を連結部６の端部外径よりも大きく形成してもよい。
【００１１】
内周壁３の塩ビ推進管５側端部には、その端部全周縁を一体に結ぶ側板９が形成されている。この側板９は、移送中に塩ビ推進管５の管内に埃等の侵入を阻止するものである。側板９は、図で示すような平板状に限られず、湾曲したもの等であってもよい。
また、側板９の塩ビ推進管５側と反対面に把っ手を設けるようにすると、塩ビ推進管５への保護キャップ１の着脱が極めて容易になり、作業性が一段と向上する。
【００１２】
本発明の保護キャップ１は、塩ビ推進管５の連結部６を弾力的に保護することができるように、軟質の合成樹脂製若しくはゴム製で成形するとよい。
これらの合成樹脂やゴムは、成形後の硬度がデュロ硬度５０〜６５の範囲が用いられ、好ましくはデュロ硬度５５〜６０である。
【００１３】
本発明の保護キャップ１における外周壁２の、塩ビ推進管５の連結部６に形成された凹状の溝１０に対応した内周面に、図２に示すような突状物１１を設けることもできる。
このような突状物１１を設けることにより、保護キャップ１を、塩ビ推進管５の端部に被せた際、突状物１１が凹状の溝１０に嵌合するので、保護キャップ１の抜け防止が図れると同時に、保護キャップの装着時に適度なクリック感が得られ、装着の確認ができる。
突状物１１の形状としては、半円錐状、三角錐、台形等各種形状のものが採用できる。
【００１４】
また、保護キャップ１の基部８の外周面に、全周に若しくは間隔を空けて凸条１２を設け、保護キャップ１を順次積重ねても、外周壁２の端部内側面が凸条１２に係止できる構成にしてもよい。
これにより、保護キャップ１を塩ビ推進管５に装着するまでの間や現場で回収を待つ間、保護キャップ１を順次積重ねても崩れることがなく、整理整頓が図れる。
【００１５】
本発明の塩ビ推進管用の保護キャップ１は、塩ビ推進管５の端部に形成された連結部６を、塩ビ推進管５の内外から、弾力性のある外周壁２と内周壁３によって挟持状に覆って保護するので、塩ビ推進管の理想的な梱包形態が得られる。
また、保護キャップ１は、塩ビ推進管５の連結部６のある端部に、簡単に着脱できるため、従来のような大掛かりな包装作業や包装を解く作業が省略でき、従来に比べて作業効率を大幅に向上させることができる。
さらに、本発明の保護キャップは、塩ビ推進管５の端部外周面に形成された連結部６に保護キャップ１を被せて移送し、塩ビ推進管の施工後に用済みとなった保護キャップ１を回収して、繰り返し再使用することができるので、資源を無駄にすることが無く、また廃棄物が排出されかつ放置若しくは燃焼されることによる環境汚染を引き起こすこともない。
【００１６】
【発明の効果】
本発明によれば、塩ビ推進管の移送に際し、塩ビ推進管の端部にある連結部を保護キャップで着脱自在に簡単に保護することができ、かつ繰り返し使用することができるので、従来のような包装形態により工事現場で包装紙等の大量の廃棄物を出すことがなく、また、環境汚染を引き起こすことも無い。
【図面の簡単な説明】
【図１】本発明の塩ビ推進管用の保護キャップの一例を示す概略断面図である。
【図２】図１の塩ビ推進管用の保護キャップを塩ビ推進管に取り付けた状態の部分概略断面図である。
【図３】塩ビ推進管同士をステンレス連結管で接続した状態を示す部分概略断面図である。
【図４】塩ビ推進管をねじ嵌合で接続した状態を示す部分概略断面図である。
【符号の説明】
１　保護キャップ
２　外周壁
３　内周壁
４　空隙部
５、２５、３０　塩ビ推進管
６、２６、３１　連結部
７　開口部
８　基部
９　側板
１０、２０　凹状の溝
１１　突状物
１２　凸条
２１　ステンレス連結管
２７　ゴム輪
２８　連結部雄ねじ側
２９　連結部雌ねじ側
【図１】
2004075110.tif 000003
【図２】
2004075110.tif 000004
【図３】
2004075110.tif 000005
【図４】
2004075110.tif 000006